(57)【要約】【課題】１種類のサイズのブロック毎に検出された動きベクトルに基づきノイズの少ない補間フレームの画像データを生成する。【解決手段】現フレームＦ(ｎ)のブロックＢbにつき検出された動きベクトルにより対応付けられる前フレームＦ(ｎ−１)及び補間フレームＦ(ｉ−１)のブロックをそれぞれブロックＢa,Ｂeとしたとき、ブロックＢe内の画素(補間画素)Ｐeの値Ｖeを次のように算出する。ブロックＢe内の補間画素ＰeにブロックＢa,Ｂb内にて位置的にそれぞれ対応する画素Ｐa,Ｐbの値Ｖa,Ｖbの差｜Ｖa−Ｖb｜が所定の閾値εよりも大きいか否かを判定し、｜Ｖa−Ｖb｜≦εの場合にはＶe＝(Ｖa＋Ｖb)／２により、｜Ｖa−Ｖb｜＞εの場合にはＶe＝(Ｖa＋Ｖb＋Ｖc＋Ｖd)／４により、補間画素Ｐeの値Ｖeを算出する。但し、Ｖc,Ｖdは、補間画素Ｐeに前フレームＦ(ｎ−１)および現フレームＦ(ｎ)にて位置的に対応する画素Ｐc,Ｐdの値である。【選択図】図６
2005268912.tif 000002
【特許請求の範囲】
【請求項１】
動画像を構成する隣接フレームである第１フレームと第２フレームとの間での画像の動きを表す動きベクトルを所定数の画素からなるブロック毎に検出し、当該第１フレームと当該第２フレームとの間に挿入すべき補間フレームの画像データを当該動きベクトルに基づき生成することによりフレーム数を増大させた動画像のデータを生成する画像処理装置であって、
前記動きベクトルに応じて位置がずれたブロックとして前記動きベクトルによって対応付けられる第１フレーム内の第１ブロックと第２フレーム内の第２ブロックとに基づき、前記動きベクトルによって当該第１および第２ブロックに対応づけられるべき前記補間フレーム内のブロックである第３ブロックの画素値を算出することにより、前記補間フレームの画像データを生成する補間フレーム生成手段と、
前記補間フレーム生成手段によって生成された画像データに基づき前記第１フレームと前記第２フレームとの間に前記補間フレームを挿入することにより、フレーム数を増大させた前記動画像データを生成する補間フレーム挿入手段と
を備え、
前記補間フレーム生成手段は、
前記第３ブロックの画素である補間画素の値を、前記第１ブロック内において当該補間画素に位置的に対応する画素である第１画素の値と前記第２ブロック内において当該補間画素に位置的に対応する画素である第２画素の値とに基づき算出し、
前記第１画素の値と前記第２画素の値との差が所定の閾値よりも大きい場合には、前記第１および第２フレームにおいて当該補間画素にそれぞれ位置的に対応する画素である第３および第４画素の値に基づいて当該補間画素の値を算出することを特徴とする画像処理装置。
【請求項２】
前記補間フレーム生成手段は、
前記第１画素の値と前記第２画素の値との差が前記閾値以下である場合には、前記第１画素の値と前記第２画素の値との平均値を前記補間画素の値として算出し、
前記第１画素の値と前記第２画素の値との差が当該閾値よりも大きい場合には、前記第１画素の値と前記第２画素の値と前記第３画素の値と前記第４画素の値との平均値を前記補間画素の値として算出することを特徴とする、請求項１に記載の画像処理装置。
【請求項３】
前記補間フレーム生成手段は、
前記第１画素の値と前記第２画素の値との差が前記閾値以下である場合には、前記第１画素の値と前記第２画素の値との平均値を前記補間画素の値として算出し、
前記第１画素の値と前記第２画素の値との差が前記閾値よりも大きい場合には、前記第３画素の値と前記第４画素の値との平均値を前記補間画素の値として算出することを特徴とする、請求項１に記載の画像処理装置。
【請求項４】
前記補間フレーム生成手段は、前記第１または第２ブロックから前記動きベクトルの１／２のベクトル量だけ位置がずれたブロックを前記第３ブロックとして前記補間フレームの画像データを生成することを特徴とする、請求項１から３までのいずれか１項に記載の画像処理装置。
【請求項５】
請求項１から４までのいずれか１項に記載の画像処理装置を備え、
前記画像処理装置によって生成される動画像のデータに基づき当該動画像を表示することを特徴とする表示装置。
【請求項６】
アクティブマトリクス型液晶表示装置である、請求項５に記載の表示装置。
【請求項７】
動画像を構成する隣接フレームである第１フレームと第２フレームとの間での画像の動きを表す動きベクトルを所定数の画素からなるブロック毎に検出し、当該第１フレームと当該第２フレームとの間に挿入すべき補間フレームの画像データを当該動きベクトルに基づき生成する画像処理方法であって、
前記動きベクトルに応じて位置がずれたブロックとして前記動きベクトルによって対応付けられる第１フレーム内の第１ブロックと第２フレーム内の第２ブロックとに基づき、前記動きベクトルによって当該第１および第２ブロックに対応づけられるべき前記補間フレーム内のブロックである第３ブロックの画素値を算出する補間フレーム生成ステップを備え、
前記第３ブロックの画素である補間画素の値は、前記第１ブロック内において当該補間画素に位置的に対応する画素である第１画素の値と前記第２ブロック内において当該補間画素に位置的に対応する画素である第２画素の値とに基づき算出され、
前記第１画素の値と前記第２画素の値との差が所定の閾値よりも大きい場合には、前記第１および第２フレームにおいて当該補間画素にそれぞれ位置的に対応する画素である第３および第４画素の値に基づいて当該補間画素の値が算出されることを特徴とする画像処理方法。
【請求項８】
前記補間フレーム生成ステップは、
前記第１画素の値と前記第２画素の値との差が前記閾値よりも大きいか否かを判定するステップと、
前記差が前記閾値以下である場合に、前記第１画素の値と前記第２画素の値との平均値を前記補間画素の値として算出するステップと、
前記差が前記閾値よりも大きい場合に、前記第１画素の値と前記第２画素の値と前記第３画素の値と前記第４画素の値との平均値を前記補間画素の値として算出するステップと
を含むことを特徴とする、請求項７に記載の画像処理方法。
【発明の詳細な説明】
【技術分野】
【０００１】
本発明は、動画像を構成する隣接フレームの間に挿入すべき補間フレームの画像データを生成する画像処理装置、および、そのような画像処理装置を備えた表示装置に関する。
【背景技術】
【０００２】
近年、薄膜トランジスタ（ＴＦＴ：Thin Film Transistor）によるアクティブマトリクス型液晶表示装置（以下「ＴＦＴ−ＬＣＤ装置」という）の進歩が顕著であり、従来ＴＦＴ−ＬＣＤ装置で問題とされていた視野角や応答性も改善され、大型のテレビ受信機用の表示装置としても使用されるようになっている。しかし、液晶の応答特性が改善された現在においても、ＴＦＴ−ＬＣＤ装置を用いたテレビ受信機での動画像表示においてボケ感が存在している。これは以下の理由による。
【０００３】
従来のテレビ受信機などで使用されていたＣＲＴ（Cathode-Ray Tube）表示装置は、１フレームの間に電子ビームを蛍光体に順次当てることで画像が表示され、各画素は１フレームの間に瞬間的に１回だけ発光する表示装置、すなわちインパルス型の表示装置である。このようなインパルス型の表示装置では、各画素はそれが或るフレームで発光してから次のフレームで発光するまでは発光しないので、視線追従によるボケが生じない。
【０００４】
これに対しＴＦＴ−ＬＣＤ装置は、自発光ではなく、液晶パネルの透過率を電圧で制御することで画像を表示し、透過型の場合には、液晶パネルの背面に配置されたバックライトから与えられる光量のうち当該液晶パネルを通過する光量を制御することで画像を表示する。そしてＴＦＴ−ＬＣＤ装置では、液晶パネルを構成するマトリクス状の複数の画素形成部に、１フレームの表示画像を表すデータが１ライン毎に書き込まれ、データの書き込まれた各画素では、そのデータに対応する電圧が、次のフレームのデータが書き込まれるまで保持される。したがって、ＴＦＴ−ＬＣＤ装置は、表示画像が１フレームの間保持される表示装置、すなわちホールド型の表示装置である。このようなホールド型の表示装置では、視線追従により動画のボケが生じることが知られている。従来は、液晶表示装置の応答速度が低くく、表示装置としての応答に１フレーム期間（１６．７ｍｓ）以上要していたため、その応答速度が低いことに起因するいわゆる画像の尾引きが問題視されていた。しかし、ここ数年で液晶の応答特性が改善され１フレーム期間以内の応答が可能となり、それに伴い、ＴＦＴ−ＬＣＤ装置では、ホールド型であることに起因する動画表示におけるボケ（視線追従によるボケ）が問題視されるようになってきている。
【０００５】
ＴＦＴ−ＬＣＤ装置のようなホールド型表示装置において視線追従によるボケを改善する方法として、バックライトを点滅させる、または、１フレーム中に黒表示を行う等、ホールド型表示装置における表示をインパルス化するという方法（以下「インパルス化法」という）が知られている。また、フレーム間の画像を補間してフレーム周波数を２倍以上にすることにより視線追従によるボケを改善するという方法（以下「フレーム補間法」という）も知られている（例えば非特許文献１参照）。
【０００６】
ホールド型表示装置において視線追従によるボケを改善する上記方法のうち、インパルス化法は、表示画面（表示パネル）の輝度またはコントラストを低下させることになり、また、ＣＲＴ表示装置で生じるようなフリッカがホールド型表示装置においてもインパルス化によって目立つようになる等の問題を有している。このため、ＴＦＴ−ＬＣＤ装置等において、ホールド型表示装置としての特長をできるだけ損なわずに視線追従によるボケを改善するには、フレーム周波数を増大させるフレーム補間法を採用するのが好ましい。
【特許文献１】特開平３−２６３９８９号公報
【特許文献２】特開平２−２０６９９１号公報
【特許文献３】特開平１−１９２２７３号公報
【特許文献４】特開平６−１５３１８５号公報
【非特許文献１】石黒秀一、栗田泰市郎，「８倍速ＣＲＴによるホールド発光型ディスプレイの動画質に関する検討」，電子情報通信学会技術報告，１９９６年６月，ＥＩＤ９６−４，ｐ．１９−２６
【発明の開示】
【発明が解決しようとする課題】
【０００７】
動画像を構成するフレームを補間する方法として、従来より、１フレームの画像をいくつかのブロックに分割し、ブロックマッチング法等によってブロック毎に検出された動きベクトルを用いてフレーム間の補間画像データを作成するという方法、すなわち、各ブロックの動きベクトルを１／２倍したベクトル量だけ当該ブロックを移動させることでフレーム間に挿入すべき補間フレームの画像データを作成するという方法が知られている（例えば特許文献１、特許文献２参照）。しかし、この方法では、検出された動きベクトルに応じてブロック単位で画像を移動させて補間フレームの画像データを作成するので、動きの無い背景画像まで移動させることになり、その結果、補間フレームの画像としてノイズを含む画像が生成される。また、特許文献２には、連続する２つのフレームのうち一方の、ブロック毎の動きベクトルの１／２の値に対応するデータと、２つの当該フレームの他方の、当該動きベクトルの１／２の値に対応するデータの平均値を演算することにより補間フレームの画像データを作成する画像処理装置が開示されているが、このような構成では、必ずしも良好な補間フレームの画像データを作成することはできず、生成される画像データにノイズが含まれる場合もある。すなわち、ブロックマッチング法等のようにブロック毎に動きベクトルを検出する方法では、検出される動きベクトルは画素毎に見ると適切でない場合もあり、このことによって補間フレームの画像データにノイズが含まれることがある。
【０００８】
このような問題を解決する方法として、複数種類のサイズのブロックで動きベクトルを検出して画面の局所的な性質に合わせて適応的にブロックサイズを切り換える等により、画素単位で見てより適切な動きベクトルを求めるという方法も考えられる（例えば特許文献３、特許文献４参照）。しかし、この方法では、動きベクトルを検出するための回路の規模が大きくなってリアルタイムでの処理が困難となるので、動画像のフレーム補間のために当該方法を使用するのは現実的ではない。
【０００９】
そこで、本発明では、１種類のサイズのブロック毎に検出された動きベクトルに基づきノイズの少ない補間フレームの画像データを生成する画像処理装置、および、そのような画像処理装置を利用して動画質を向上させた表示装置を提供することを目的とする。
【課題を解決するための手段】
【００１０】
第１の発明は、動画像を構成する隣接フレームである第１フレームと第２フレームとの間での画像の動きを表す動きベクトルを所定数の画素からなるブロック毎に検出し、当該第１フレームと当該第２フレームとの間に挿入すべき補間フレームの画像データを当該動きベクトルに基づき生成することによりフレーム数を増大させた動画像のデータを生成する画像処理装置であって、
前記動きベクトルに応じて位置がずれたブロックとして前記動きベクトルによって対応付けられる第１フレーム内の第１ブロックと第２フレーム内の第２ブロックとに基づき、前記動きベクトルによって当該第１および第２ブロックに対応づけられるべき前記補間フレーム内のブロックである第３ブロックの画素値を算出することにより、前記補間フレームの画像データを生成する補間フレーム生成手段と、
前記補間フレーム生成手段によって生成された画像データに基づき前記第１フレームと前記第２フレームとの間に前記補間フレームを挿入することにより、フレーム数を増大させた前記動画像データを生成する補間フレーム挿入手段と
を備え、
前記補間フレーム生成手段は、
前記第３ブロックの画素である補間画素の値を、前記第１ブロック内において当該補間画素に位置的に対応する画素である第１画素の値と前記第２ブロック内において当該補間画素に位置的に対応する画素である第２画素の値とに基づき算出し、
前記第１画素の値と前記第２画素の値との差が所定の閾値よりも大きい場合には、前記第１および第２フレームにおいて当該補間画素にそれぞれ位置的に対応する画素である第３および第４画素の値に基づいて当該補間画素の値を算出することを特徴とする。
【００１１】
第２の発明は、第１の発明において、
前記補間フレーム生成手段は、
前記第１画素の値と前記第２画素の値との差が前記閾値以下である場合には、前記第１画素の値と前記第２画素の値との平均値を前記補間画素の値として算出し、
前記第１画素の値と前記第２画素の値との差が前記閾値よりも大きい場合には、前記第１画素の値と前記第２画素の値と前記第３画素の値と前記第４画素の値との平均値を前記補間画素の値として算出することを特徴とする。
【００１２】
第３の発明は、第１の発明において、
前記補間フレーム生成手段は、
前記第１画素の値と前記第２画素の値との差が前記閾値以下である場合には、前記第１画素の値と前記第２画素の値との平均値を前記補間画素の値として算出し、
前記第１画素の値と前記第２画素の値との差が前記閾値よりも大きい場合には、前記第３画素の値と前記第４画素の値との平均値を前記補間画素の値として算出することを特徴とする。
【００１３】
第４の発明は、第１から第３の発明のいずれかにおいて、
前記補間フレーム生成手段は、前記第１または第２ブロックから前記動きベクトルの１／２のベクトル量だけ位置がずれたブロックを前記第３ブロックとして前記補間フレームの画像データを生成することを特徴とする。
【００１４】
第５の発明は、表示装置であって、
第１から第４の発明のいずれかの発明に係る画像処理装置を備え、
前記画像処理装置によって生成される動画像のデータに基づき当該動画像を表示することを特徴とする。
【００１５】
第６の発明は、第５の発明に係る表示装置であって、
アクティブマトリクス型液晶表示装置である。
【００１６】
第７の発明は、動画像を構成する隣接フレームである第１フレームと第２フレームとの間での画像の動きを表す動きベクトルを所定数の画素からなるブロック毎に検出し、当該第１フレームと当該第２フレームとの間に挿入すべき補間フレームの画像データを当該動きベクトルに基づき生成する画像処理方法であって、
前記動きベクトルに応じて位置がずれたブロックとして前記動きベクトルによって対応付けられる第１フレーム内の第１ブロックと第２フレーム内の第２ブロックとに基づき、前記動きベクトルによって当該第１および第２ブロックに対応づけられるべき前記補間フレーム内のブロックである第３ブロックの画素値を算出する補間フレーム生成ステップを備え、
前記第３ブロックの画素である補間画素の値は、前記第１ブロック内において当該補間画素に位置的に対応する画素である第１画素の値と前記第２ブロック内において当該補間画素に位置的に対応する画素である第２画素の値とに基づき算出され、
前記第１画素の値と前記第２画素の値との差が所定の閾値よりも大きい場合には、前記第１および第２フレームにおいて当該補間画素にそれぞれ位置的に対応する画素である第３および第４画素の値に基づいて当該補間画素の値が算出されることを特徴とする。
【００１７】
第８の発明は、第７の発明に係る画像処理方法であって、
前記補間フレーム生成ステップは、
前記第１画素の値と前記第２画素の値との差が前記閾値よりも大きいか否かを判定するステップと、
前記差が前記閾値以下である場合に、前記第１画素の値と前記第２画素の値との平均値を前記補間画素の値として算出するステップと、
前記差が前記閾値よりも大きい場合に、前記第１画素の値と前記第２画素の値と前記第３画素の値と前記第４画素の値との平均値を前記補間画素の値として算出するステップとを含むことを特徴とする。
【発明の効果】
【００１８】
上記のような第１〜第４の発明に係る画像処理装置または第７もしくは第８の発明に係る画像処理方法によれば、１種類のサイズのブロック毎（所定数の画素からなるブロック毎）に検出された動きベクトルによって対応付けられる第１フレーム内の第１ブロックと第２フレーム内の第２ブロックとに基づき、挿入すべき補間フレームの画素である補間画素の値が以下のように算出される。すなわち、第１ブロック内において当該補間画素に位置的に対応する第１画素の値と第２ブロック内において当該補間画素に位置的に対応する第２画素の値との差が所定の閾値よりも大きい場合には、第１および第２フレームにおいて当該補間画素にそれぞれ位置的に対応する第３および第４画素の値が当該補間画素の値に反映されるように算出される。したがって、複数種類のサイズのブロックについて動きベクトルを検出する場合において問題となるような回路規模の増大を抑えつつ、背景画像の画素のように動きの無い画素を含むブロックがあってもノイズの少ない補間フレームの画像データを生成することができる。
【００１９】
上記のような第５または第６の発明に係る表示装置によれば、複数種類のサイズのブロックについて動きベクトルを検出する場合において問題となるような回路規模の増大を抑えつつ、背景画像の画素のように動きの無い画素を含むブロックがあってもノイズの少ない補間フレームの画像データが生成され、この補間フレームの挿入によってフレーム周波数を増大させた画像データに基づき動画像が表示される。これにより動画質の高い表示が可能となる。特に、ホールド型表示装置であるアクティブマトリクス型液晶表示装置においては、本発明により、目立つようなフリッカを生じさせることなく視線追従による動画のボケを改善できるという効果が得られる。
【発明を実施するための最良の形態】
【００２０】
以下、添付図面を参照して本発明の実施形態について説明する。
＜１．全体的な構成および動作＞
まず、本発明の一実施形態に係る画像処理装置を備えたアクティブマトリクス型液晶表示装置の全体的な構成および動作について説明する。図１（ａ）は、この液晶表示装置の構成を示すブロック図である。この液晶表示装置は、映像信号線駆動回路としてのデータドライバ３００と、走査信号線駆動回路としてのゲートドライバ４００と、アクティブマトリクス型の表示部としての液晶パネル６００と、データドライバ３００およびゲートドライバ４００を制御するための表示制御回路１００とを備えている。
【００２１】
本実施形態における液晶パネル６００は、複数本（ｍ本）の走査信号線としてのゲート線と、それらのゲート線のそれぞれと交差する複数本（ｎ本）の映像信号線としてのデータ線と、それらのゲート線とデータ線との交差点にそれぞれ対応して設けられた複数個（ｍ×ｎ個）の画素形成部とを含む。これらの画素形成部はマトリクス状に配置されて画素アレイを構成し、各画素形成部は、対応する交差点を通過するゲート線にゲート端子が接続される共に当該交差点を通過するデータ線にソース端子が接続されたスイッチング素子であるＴＦＴと、そのＴＦＴのドレイン端子に接続された画素電極と、上記複数の画素形成部に共通的に設けられた対向電極である共通電極と、上記複数の画素形成部に共通的に設けられ画素電極と共通電極との間に挟持された液晶層とからなり、必要に応じ、画素電極と共通電極とによって形成される容量に並列に補助容量が付加される。そして、画素電極と共通電極とにより形成される容量（補助容量が付加されている場合にはこれに補助容量を加えた容量）により、画素容量が構成される。
【００２２】
表示制御回路１００は、外部の信号源等から、連続するフレームから構成される動画像を表すビデオ信号すなわち表示すべき画像を表すデジタルビデオ信号Ｄｖと、当該デジタルビデオ信号Ｄｖに対応する水平同期信号ＨＳＹおよび垂直同期信号ＶＳＹとを受け取り、それらの信号Ｄｖ，ＨＳＹ，ＶＳＹに基づき、そのデジタルビデオ信号Ｄｖの表す画像を液晶パネル６００に表示させるための信号として、データドライバ用スタートパルス信号ＳＳＰと、データドライバ用クロック信号ＳＣＫと、表示すべき画像を表すデジタル画像信号ＤＡ（ビデオ信号Ｄｖに相当する信号）と、ゲートドライバ用スタートパルス信号ＧＳＰと、ゲートドライバ用クロック信号ＧＣＫとを生成して出力する。
【００２３】
図１（ｂ）に示すように、この表示制御回路１００は画像処理装置１１０とタイミング発生回路１５０とを備えている。画像処理装置１１０は、上記デジタルビデオ信号Ｄｖの表す動画像を構成するフレーム間に挿入すべき補間フレームの画像データを生成することにより、フレーム周波数を増大させた画像信号をデジタル画像信号ＤＡとして生成する（詳細は後述）。このデジタル画像信号ＤＡは、液晶パネル６００の駆動用のタイミング信号としての下記のスタートパルス信号ＳＳＰ，ＧＳＰおよびクロック信号ＳＣＫ，ＧＣＫに同期して出力される。タイミング発生回路１５０は、上記デジタル画像信号ＤＡの表す画像の各画素に対応するパルスからなる信号としてデータドライバ用クロック信号ＳＣＫを生成し、水平同期信号ＨＳＹに基づき画像表示における１水平走査期間毎に所定期間だけハイレベル（Ｈレベル）となる信号としてデータドライバ用スタートパルス信号ＳＳＰを生成し、垂直同期信号ＶＳＹに基づき画像表示における１フレーム期間（１垂直走査期間）毎に所定期間だけＨレベルとなる信号としてゲートドライバ用スタートパルス信号ＧＳＰを生成し、水平同期信号ＨＳＹに基づきゲートドライバ用クロック信号ＧＣＫを生成する。
【００２４】
上記のようにして表示制御回路１００において生成された信号のうち、デジタル画像信号ＤＡとデータドライバ用のスタートパルス信号ＳＳＰおよびクロック信号ＳＣＫとは、データドライバ３００に入力され、ゲートドライバ用のスタートパルス信号ＧＳＰおよびクロック信号ＧＣＫは、ゲートドライバ４００に入力される。データドライバ３００は、デジタル画像信号ＤＡとデータドライバ用のスタートパルス信号ＳＳＰおよびクロック信号ＳＣＫとに基づき、デジタル画像信号ＤＡの表す画像の各水平走査線における画素値に相当するアナログ電圧として複数（ｎ個）のデータ信号を１水平走査期間毎に生成し、これらのデータ信号を複数（ｎ本）のデータ線にそれぞれ印加する。ゲートドライバ４００は、ゲートドライバ用スタートパルス信号ＧＳＰとゲートドライバ用クロック信号ＧＣＫとを表示制御回路１００から受け取り、これらの信号ＧＳＰ，ＧＣＫに基づき、デジタル画像信号ＤＡの各フレーム期間（各垂直走査期間）において、複数（ｍ本）のゲート線を順次に１水平走査期間ずつ選択し、選択したゲート線にアクティブなゲート信号（画素形成部のＴＦＴをオンさせる電圧）を印加する。
【００２５】
上記のデータドライバ３００およびゲートドライバ４００により、液晶パネル６００において、ｎ本のデータ線にはｎ個のデータ信号がそれぞれ印加され、ｍ本のゲート線にはｍ個のゲート信号がそれぞれ印加される。これにより、液晶パネル６００における各画素形成部の画素容量には、デジタル画像信号ＤＡの表す画像における対応画素の値に相当する電圧がｎ個のデータ信号により与えられて保持され、液晶層には、デジタル画像信号ＤＡに応じて画素電極と共通電極との電位差に相当する電圧が印加される。すなわち、各画素容量に保持された電圧がそれに対応する画素液晶への印加電圧となる。液晶パネル６００は、この印加電圧によって液晶層の光透過率を制御することにより、デジタル画像信号ＤＡの表す画像すなわち外部の信号源等から受け取ったデジタルビデオ信号Ｄｖの表す画像を表示する。なお、表示制御回路１００内の画像処理装置１１０により補間フレームの画像データが生成されるので、この液晶パネル６００が表示する画像のフレーム周波数は、外部からのデジタルビデオ信号Ｄｖの表す画像のフレーム周波数よりも増大している。
【００２６】
＜２．画像処理装置の構成および動作＞
図２は、本実施形態に係る画像処理装置、すなわち表示制御回路１００内で補間フレームの画像データを生成する画像処理装置１１０の構成を示すブロック図である。この画像処理装置１１０は、フレームメモリ１０と、動き検出回路１２と、倍速回路１４と、補間画像処理回路１６とを備えており、外部からのデジタルビデオ信号Ｄｖは、フレームメモリ１０および動き検出回路１２に入力される。なお以下では、外部からのデジタルビデオ信号Ｄｖのフレーム周波数は６０［フレーム／秒］であるものとするが、これに限定されるものではない。フレームメモリ１０には、このデジタルビデオ信号Ｄｖの示す１フレーム分の画像データが記憶されると共に、記憶された画像データが毎秒６０フレーム分ずつフレームメモリ１０から読み出されて、１フレーム期間（１垂直走査期間）だけ遅延したデジタルビデオ信号（以下「遅延ビデオ信号」という）Ｄ６０として出力される。
【００２７】
動き検出回路１２は、上記デジタルビデオ信号Ｄｖとそれを１フレーム期間だけ遅延させた遅延ビデオ信号Ｄ６０とを用いて、ブロックマッチング法により、デジタルビデオ信号Ｄｖの表す画像における隣接フレーム間での画像の動きを示す動きベクトルを検出する。図４に示すようにブロックマッチング法では、所定数の画素からなる領域を１ブロックとして各フレームの画像を複数ブロックに分割して、現フレームＦ（ｎ）の画像において各ブロックに注目し、注目ブロックを参照ブロックとして、前フレームＦ（ｎ−１）において参照ブロックに位置的に対応するブロックを中心とする所定範囲内で最も類似度の高い（例えば両ブロック内の対応する画素値の差（絶対値）の和が最小となる）ブロックを検索する。そして、現フレームＦ（ｎ）にける参照ブロックと前フレームＦ（ｎ−１）において得られた最も類似度の高いブロックとの位置的なずれを、動きベクトルＭｖとして検出する。このようにして各ブロック毎に検出される動きベクトルＭｖは、毎秒６０フレーム分ずつ動きベクトル信号Ｍ６０として動き検出回路１２から出力される。
【００２８】
このようにしてフレームメモリ１０から遅延ビデオ信号Ｄ６０として毎秒６０フレーム分ずつ出力される画像データ、および、動き検出回路１２から動きベクトル信号Ｍ６０として毎秒６０フレーム分ずつ出力される動きベクトルデータは、倍速回路１４に入力される。
【００２９】
倍速回路１４は、図３に示すように、フレームメモリ５０と、動きベクトルメモリ５２と、タイミング発生回路５４とを備えている。タイミング発生回路５４は、フレームメモリ５０および動きベクトルメモリ５２についての書き込みと読み出しのためのアドレスを生成するアドレス生成回路であって、書き込みの際には、毎秒６０フレームに相当する速度でアドレスを発生させ、読み出しの際には、毎秒１２０フレームに相当する速度すなわち倍速でアドレスを発生させる。これにより、フレームメモリ５０には遅延ビデオ信号Ｄ６０が毎秒６０フレーム分ずつ画像データとして書き込まれ、その画像データは毎秒１２０フレームに相当する速度でビデオ信号Ｄ１２０としてフレームメモリ５０から読み出される。ただし、このビデオ信号Ｄ１２０は、後述の補間フレームの挿入のために、図８（ａ）に示すように、１フレーム期間おきに間欠的にフレームメモリ５０から読み出される。同様にして、動きベクトルメモリ５２には動きベクトル信号Ｍ６０が毎秒６０フレーム分ずつ動きベクトルデータとして書き込まれ、その動きベクトルデータは毎秒１２０フレームに相当する速度で動きベクトル信号Ｍ１２０として動きベクトルメモリ５２から読み出される。
【００３０】
このようにして倍速回路１４で得られたビデオ信号Ｄ１２０および動きベクトル信号Ｍ１２０は、補間画像処理回路１６に入力される。この補間画像処理回路１６では、動きベクトル信号Ｄ１２０に基づきビデオ信号Ｄ１２０から補間フレームの画像データが生成される。一般に、前フレームまたは現フレームにおける各ブロックにつき当該ブロックの動きベクトルを１／２倍したベクトル量だけ当該ブロックを移動させることにより、前フレームＦ（ｎ−１）と現フレームＦ（ｎ）との間に挿入すべき１つの補間フレームの画像データを生成することができる。また、前フレームまたは現フレームにおける各ブロックにつき当該ブロックの動きベクトルを１／３倍したベクトルおよび２／３倍したベクトルを用いることにより、隣接フレーム間に２つの補間フレームを挿入することができる（ただし、この場合、ビデオ信号Ｄ６０および動きベクトル信号Ｍ６０の速度を２倍にする倍速回路１４の代わりに、これらの速度を３倍にする３倍速回路が必要となる）。より一般的には、隣接フレーム間に挿入すべき補間フレーム数に応じた係数を動きベクトルに乗じて当該補間フレーム数に応じた数のベクトルを求め、これらのベクトルを用いて複数の補間フレームを挿入することができる。
【００３１】
補間フレームの画像データを生成する上記方法によれば、前フレームにおける１つのブロック内の全ての画素が現フレームにおいて同じ位置に移動している場合は問題ないが、図５に示すように、そのブロック内に背景画像の画素等のように動かない画素が存在する場合には、動かない画素をも移動させて補間フレームの画像データを生成することになる。なお図５において、符号Ｂｃは現フレームの参照ブロックを示し、符号Ｂｍは前フレーム内の所定範囲において参照ブロックＢｃに最も類似するブロックを示している。
【００３２】
これに対し、連続する２つのフレームのうち一方の、ブロック毎の動きベクトルの１／２の値に対応するデータと、２つの当該フレームの他方の、当該動きベクトルの１／２の値に対応するデータの平均値を演算することにより補間フレームの画像データを作成する画像処理装置（特許文献２参照）や、複数種類のサイズのブロックで動きベクトルを検出して画面の局所的な性質に合わせて適応的にブロックサイズを切り換える等により、画素単位で見てより適切な動きベクトルを求めるという方法（例えば特許文献３等）も提案されている。しかし、既述のように、前者の画像処理装置では補間フレームの画像データとしてノイズを含まない良好なデータを必ずしも作成することができず、また、後者の方法では、動きベクトルを検出するための回路の規模が大きくなってリアルタイムでの処理が困難となる。
【００３３】
そこで本実施形態における補間画像処理回路１６では、このような問題を解消すべく、以下に述べるようにして補間フレームの画像データを生成している。いま、図６に示すように、現フレームＦ（ｎ）の或るブロックＢｂについて検出された動きベクトルに基づき、前フレームＦ（ｎ−１）と現フレームＦ（ｎ）との間に挿入すべき補間フレームＦ（ｉ−１）のブロックＢｅを構成する画素Ｐｅの値を算出する過程を考える。ここで、現フレームＦ（ｎ）のブロックＢｂから上記動きベクトルだけ位置のずれた前フレームＦ（ｎ−１）におけるブロックをブロックＢａとし、当該ブロックＢｂから上記動きベクトルの１／２のベクトル量だけ位置のずれた上記補間フレームＦ（ｉ−１）におけるブロックをブロックＢｅとする。すなわち、現フレームＦ（ｎ）におけるブロックＢｂにつき検出された動きベクトルにより、当該ブロックＢｂと前フレームＦ（ｎ−１）のブロックＢａと補間フレームＦ（ｉ−１）のブロックＢｅとが互いに対応付けられるものとする。この場合、補間画像処理回路１６は、生成すべき補間フレームＦ（ｉ−１）のブロックＢｅにおける画素（以下「補間画素」という）の値を次のようにして算出する。
【００３４】
まず、補間フレームＦ（ｉ−１）のブロックＢｅにおける補間画素Ｐｅに前フレームＦ（ｎ−１）のブロックＢａ内において位置的に対応する画素（ブロック内の相対位置が同じ画素）Ｐａの値Ｖａと、当該補間画素Ｐｅに現フレームＦ（ｎ）のブロックＢｂ内において位置的に対応する画素（ブロック内の相対位置が同じ画素）Ｐｂの値Ｖｂとの差｜Ｖａ−Ｖｂ｜を求め、この差｜Ｖａ−Ｖｂ｜が所定の閾値εよりも大きいか否かを判定する。その結果、｜Ｖａ−Ｖｂ｜≦εである場合には、画素Ｐａの値Ｖａと画素Ｐｂの値Ｖｂとの平均値を補間画素Ｐｅの値Ｖｅとする。すなわち、
Ｖｅ＝（Ｖａ＋Ｖｂ）／２    …（１）
とする。一方、｜Ｖａ−Ｖｂ｜＞εである場合には、補間フレームＦ（ｉ−１）における補間画素Ｐｅに前フレームＦ（ｎ−１）において位置的に対応する画素（フレーム内の位置が同じ画素）Ｐｃの値Ｖｃ、および、補間画素Ｐｅに現フレームＦ（ｎ）において位置的に対応する画素（フレーム内の位置が同じ画素）Ｐｄの値Ｖｄを用いて補間画素Ｐｅの値Ｖｅを算出する。具体的には、画素Ｐａの値Ｖａと画素Ｐｂの値Ｖｂと画素Ｐｃの値Ｖｃと画素Ｐｄの値Ｖｄとの平均値を補間画素Ｐｅの値Ｖｅとする。すなわち、
Ｖｅ＝（Ｖａ＋Ｖｂ＋Ｖｃ＋Ｖｄ）／４    …（２）
とする。
【００３５】
このようにして、生成すべき補間フレームのブロックＢｅの画素（補間画素）Ｐｅの値Ｖｅを算出する際に、検出された動きベクトルによってそのブロックＢｅに対応づけられる前フレームＦ（ｎ−１）のブロックＢａおよび現フレームＦ（ｎ）のブロックＢｂにおいて補間画素Ｐｅに位置的に対応する画素（以下「ブロック内位置対応画素」という）ＰａおよびＰｂの値の差｜Ｖａ−Ｖｂ｜が求められ、この差｜Ｖａ−Ｖｂ｜が所定の閾値εよりも大きい場合には、ブロック内位置対応画素Ｐａ，Ｐｂの値のみならず、前フレームＦ（ｎ−１）および現フレームＦ（ｎ）において補間画素Ｐｅに位置的に対応する画素（以下「フレーム内位置対応画素」という）Ｐｃ，Ｐｄの値Ｖｃ，Ｖｄをも用いて補間画素Ｐｅの値Ｖｅが決定される。これにより、ブロック内に背景画像の画素のように動かない画素が存在する場合等、検出された動きベクトルＭｖが画素単位で見て適切でない場合であっても、補間フレームＦ（ｉ−１）の画像データとしてノイズの少ない画像データを生成することができ、補間画像処理回路１６によって得られる画像信号ＤＡの表す画像が違和感のないものとなる。なお、上記閾値εは、シミュレーションや実験（主観的評価実験など）に基づき適宜に設定されるべき値であり、例えば、ビデオ信号Ｄｖの表す画像を１２階調で表示する場合の閾値階調に相当する値を上記εとすればよい。
【００３６】
図７は、上記のようにして補間画素Ｐｅの値Ｖｅを算出することにより補間フレームの画像データを生成する補間画像処理回路１６の一構成例を示すブロック図であり、図８は、この構成例による補間画像処理回路１６の動作を説明するすためのタイミングチャートである。以下、図７および図８を参照しつつ補間画像処理回路１６の構成および動作について説明する。なお以下では、１フレーム期間を１／１２０［秒］とする。
【００３７】
図７に示すように、本構成例による補間画像処理回路１６は、第１フレームメモリ１１１と、第２フレームメモリ１１２と、アドレス生成回路１１４と、比較器１１６と、第１加算器１１８と、第１係数乗算器１２０と、第２加算器１２２と、第２係数乗算器１２４と、第１切換スイッチ１２６と、第２切換スイッチ１２８とを備えており、倍速回路１４からのビデオ信号Ｄ１２０（以下「第１ビデオ信号Ｄｖ１」とも表記する）および動きベクトル信号Ｍ１２０は、第１フレームメモリ１１１およびアドレス生成回路１１４にそれぞれ入力される。
【００３８】
アドレス生成回路１１４は、第１および第２フレームメモリ１１１，１１２についての書き込みと読み出しのためのアドレスを生成し、これにより、第１および第２フレームメモリ１１１，１１２を下記のように動作させる。すなわち図８（ａ）（ｂ）に示すように、奇数番目のフレーム期間Ｔ１，Ｔ３，Ｔ５，…のそれぞれでは、第１ビデオ信号Ｄｖ１（倍速回路１４からのビデオ信号Ｄ１２０）が１フレーム分の画像データとして第１フレームメモリ１１１に書き込まれると共に、それ以前に書き込まれた１フレーム分の画像データが第２ビデオ信号Ｄｖ２として第１フレームメモリ１１１から読み出される。このとき第２フレームメモリ１１２では、第１フレームメモリ１１１から読み出された第２ビデオ信号Ｄｖ２が１フレーム分の画像データとして書き込まれる。また、この第２ビデオ信号Ｄｖ２は、第２切換スイッチ１２８に入力される。
【００３９】
一方、偶数番目のフレーム期間Ｔ２，Ｔ４，Ｔ６，…のそれぞれでは、第１および第２フレームメモリ１１１，１１２への書き込みは行われず、生成すべき補間フレームの画素（補間画素）Ｐｅの値Ｖｅの算出に使用される既述のブロック内位置対応画素Ｐａ，Ｐｂの値Ｖａ，Ｖｂおよびフレーム内位置対応画素Ｐｃ，Ｐｄの値Ｖｃ，Ｖｄが読み出される。例えば、フレーム期間Ｔ４では、第２フレームメモリ１１２からフレームＦ（ｎ−１）におけるブロック内位置対応画素Ｐａの値Ｖａおよびフレーム内位置対応画素Ｐｃの値Ｖｃが読み出され（図６、図８（ｂ）参照）、第１フレームメモリ１１１からフレームＦ（ｎ）におけるブロック内位置対応画素Ｐｂの値Ｖｂおよびフレーム内位置対応画素Ｐｄの値Ｖｄが読み出される（図６、図８（ａ）参照）。いま、偶数番目のフレーム期間Ｔ２，Ｔ４，Ｔ６，…のそれぞれにおいて第１フレームメモリ１１１に記憶されている画像データを現フレームの画像データとすると、この期間において第２フレームメモリ１１２には前フレームの画像データが記憶されており、この期間では、第２フレームメモリ１１２から前フレームのブロック内位置対応画素Ｐａの値Ｖａとフレーム内位置対応画素Ｐｃの値Ｖｃとが読み出され、第１フレームメモリ１１１から現フレームのブロック内位置対応画素Ｐｂの値Ｖｂとフレーム内位置対応画素Ｐｄの値Ｖｄとが読み出されることになる。
【００４０】
上記のように読み出された前フレームおよび現フレームのブロック内位置対応画素の値Ｖａ，Ｖｂは、比較器１１６と第１加算器１１８と第２加算器１２２とに入力され、前フレームおよび現フレームのフレーム内位置対応画素の値Ｖｃ，Ｖｄは第２加算器１２２に入力される。そして、偶数番目のフレーム期間Ｔ２，Ｔ４，Ｔ６，…のそれぞれにおいて、前フレームと現フレームとの間に挿入すべき補間フレームの画像データを表す第３ビデオ信号（以下「補間ビデオ信号」ともいう）Ｄｖ３が以下のようにして生成される。
【００４１】
比較器１１６は、前フレームのブロック内位置対応画素の値Ｖａと現フレームのブロック内位置対応画素の値Ｖｂとの差｜Ｖａ−Ｖｂ｜が上記閾値εよりも大きいか否かを判定し、その結果に応じて判定結果信号Ｓｃを生成する。すなわち、｜Ｖａ−Ｖｂ｜≦εであれば判定結果信号ＳｃとしてＬレベル（ローレベル）の信号を出力し、｜Ｖａ−Ｖｂ｜＞εであれば判定結果信号ＳｃとしてＨレベル（ハイレベル）の信号を出力する。この判定結果信号Ｓｃは、第１切換スイッチ１２６に制御信号として入力される。
【００４２】
一方、第１加算器１１８は、前フレームのブロック内位置対応画素の値Ｖａと現フレームのブロック内位置対応画素の値Ｖｂとを加算し、第１係数乗算器１２０は、その加算結果Ｖａ＋Ｖｂに１／２を乗じて、その乗算結果を示す信号すなわち２つの画素値Ｖａ，Ｖｂの平均値を示す信号を第１補間ビデオ信号Ｄｖ３１として出力する。これと並行して、第２加算器１２２は、前フレームのブロック内位置対応画素の値Ｖａおよびフレーム内位置対応画素の値Ｖｃと現フレームのブロック内位置対応画素の値Ｖｂおよびフレーム内位置対応画素の値Ｖｄとを加算し、第２係数乗算器１２４は、その加算結果Ｖａ＋Ｖｂ＋Ｖｃ＋Ｖｄに１／４を乗じて、その乗算結果を示す信号すなわち４つの画素値Ｖａ，Ｖｂ，Ｖｃ，Ｖｄの平均値を示す信号を第２補間ビデオ信号Ｄｖ３２として出力する。
【００４３】
上記のように生成された第１および第２補間ビデオ信号Ｄｖ３１，Ｄｖ３２は、第１切換スイッチ１２６に入力される。この第１切換スイッチ１２６は、比較器１１６からの判定結果信号ＳｃがＬレベルのときには第１補間ビデオ信号Ｄｖ３１を選択して第３ビデオ信号（補間ビデオ信号）Ｄｖ３として出力し、判定結果信号ＳｃがＨレベルのときには第２補間ビデオ信号Ｄｖ３２を選択して第３ビデオ信号（補間ビデオ信号）Ｄｖ３として出力する。この補間ビデオ信号Ｄｖ３は第２切換スイッチ１２８に入力される。
【００４４】
第２切換スイッチ１２８は、フレーム期間毎に出力すべき信号ＤＡを切り換えるスイッチであり、図８（ｂ）〜（ｄ）に示すように、奇数番目のフレーム期間Ｔ１，Ｔ３，Ｔ５，…では、前フレームの画像データを示す第２ビデオ信号Ｄｖ２を選択してデジタル画像信号ＤＡとして出力し、偶数番目のフレーム期間Ｔ２，Ｔ４，Ｔ６，…では、補間フレームの画像データを示す補間ビデオ信号Ｄｖ３を選択してデジタル画像信号ＤＡとして出力する。
【００４５】
上記説明からわかるように、本構成例では、外部からのデジタルビデオ信号Ｄｖの表す画像の隣接フレームの間に挿入すべき補間フレームの画像データ（補間ビデオ信号Ｄｖ３）を生成する補間フレーム生成手段が、第１および第２フレームメモリ１１１，１１２とアドレス生成回路１１４と比較器１１６と第１および第２加算器１１８，１２２と第１及び第２係数乗算器１２０，１２４と第１切換スイッチ１２６とにより実現され、その補間フレームを各隣接２フレームの間に挿入することによりフレーム周波数を倍増させた動画像データ（デジタル画像信号ＤＡ）を生成する補間フレーム挿入手段が第２切換スイッチ１２８により実現される。
【００４６】
このようにして、外部からのデジタルビデオ信号Ｄｖの表す画像（動画像）を構成する隣接２フレームの間に挿入すべき補間フレームの画像データが生成され、その補間フレームの画像データを用いてフレーム周波数を増大させた（倍増させた）画像データがデジタル画像信号ＤＡとして補間画像処理回路１６から出力される。既述のように、このデジタル画像信号ＤＡはデータドライバ３００へ送られ、データドライバ３００は、このデジタル画像信号ＤＡに基づき液晶パネル６００におけるデータ線を駆動する。一方、ゲートドライバ４００は、このデジタル画像信号ＤＡに対応したタイミング信号であるスタートパルス信号ＧＳＰおよびクロック信号ＧＣＫに基づき液晶パネル６００におけるゲート線を駆動する。これにより、デジタル画像信号ＤＡの表す画像が液晶パネル６００に表示される。すなわち、本実施形態に係る画像処理装置を備えたホールド型表示装置であるアクティブマトリクス型液晶表示装置において、外部からのデジタルビデオ信号Ｄｖの表す画像（動画像）がフレーム周波数を倍増させた状態で表示される。
【００４７】
＜３．効果＞
以上のように本実施形態では、固定サイズのブロック毎すなわち１種類のサイズのブロック毎に検出される動きベクトルに基づき補間フレームの画像データが補間ビデオ信号Ｄｖ３として生成され（図７、図８（ｃ））、このとき、生成すべき補間フレームにおける画素である補間画素Ｐｅに対する前フレームのブロック内位置対応画素の値Ｖａと現フレームのブロック内位置対応画素の値Ｖｂとの差｜Ｖａ−Ｖｂ｜が所定の閾値εよりも大きいか否かが判定される。その結果、この差｜Ｖａ−Ｖｂ｜が当該閾値ε以下である場合には、前フレームおよび現フレームにおけるブロック内位置対応画素の値Ｖａおよび値Ｖｂの平均値が補間画素Ｐｅの値Ｖｅとなるが、この差｜Ｖａ−Ｖｂ｜が所定の閾値εよりも大きい場合には、ブロック内位置対応画素の値Ｖａ，Ｖｂのみならず、前フレームおよび現フレームにおけるフレーム内位置対応画素の値Ｖｃ，Ｖｄをも考慮して補間画素Ｐｅの値Ｖｅが決定される。すなわち、Ｖｅ＝（Ｖａ＋Ｖｂ＋Ｖｃ＋Ｖｄ）／４となる。
【００４８】
したがって本実施形態によれば、複数種類のサイズのブロックについて動きベクトルを検出する場合において問題となるような回路規模の増大を抑えつつ、背景画像の画素のように動きの無い画素を含むブロックがあってもノイズの少ない補間フレームの画像データを生成することができる。そして、このような構成によれば、補間フレームの挿入された動画像を示すデジタル画像信号ＤＡがリアルタイムで生成され、そのデジタル画像信号ＤＡに基づき、フレーム周波数の倍増された動画像がアクティブマトリクス型液晶表示装置に表示される。これにより、ホールド型表示装置であるアクティブマトリクス型液晶表示装置において、その特長を損なうことなく（例えば目立つようなフリッカを生じさせることなく）、視線追従によるボケを改善することができる。
【００４９】
＜４．変形例＞
上記実施形態では、動きベクトルを検出する動き検出回路１２が画像処理装置１１０に内蔵されているが（図１（ｂ））、画像処理装置１１０の外部に動き検出回路１２が設けられていてもよい。また、画像処理装置１１０を備える上記液晶表示装置の外部から、デジタルビデオ信号Ｄｖの表す画像における動きベクトルが与えられる場合（例えばＭＰＥＧ（Moving Picture Expert Group）の規格に基づく動きベクトルが与えられる場合）には、これを用いて補間フレームの画像データを生成すればよく、この場合、液晶表示装置および画像処理装置１１０において動きベクトルを検出する手段が不要となる。
【００５０】
また、上記実施形態では、補間フレームの画像データの生成の際に、補間画素Ｐｅの値Ｖｅは、式（１）または式（２）により算出されるが、このような単純な平均化演算に代えて、重み付き平均を求める演算により補間画素Ｐｅの値Ｖｅを決定してもよい。さらに、ブロック内位置対応画素Ｐａ，Ｐｂの値の差｜Ｖａ−Ｖｂ｜が所定の閾値εよりも大きい場合には、ブロック内位置対応画素Ｐａ，Ｐｂを動かない画素とみなして、フレーム内位置対応画素Ｐｃ，Ｐｄの値の平均値（Ｖｃ＋Ｖｄ）／２を補間画素Ｐｅの値Ｖｅとしてもよい。
【００５１】
さらにまた、上記実施形態では、隣接フレームの間に１つの補間フレームを挿入する構成となっているが、既述のように、隣接フレームの間に２つ以上の補間フレームを挿入する構成に対しても本発明は適用可能である。この場合、例えば、各補間フレームの挿入される相対位置（時間軸における位置）に応じてブロック内位置対応画素の値Ｖａ，Ｖｂおよびフレーム内位置対応画素の値Ｖｃ，Ｖｄについて重み付き平均を計算することにより、補間画素Ｐｅの値Ｖｅを決定してもよい。
【００５２】
なお、上記実施形態では、フレーム周波数（表示周波数）を増大させたデジタル画像信号ＤＡが画像処理装置１１０によって生成され、この画像信号ＤＡの表す画像がアクティブマトリクス型液晶表示装置で表示されるが、このデジタル画像信号ＤＡの表す画像をアクティブマトリクス型液晶表示装置以外のホールド型の表示装置に表示する構成としてもよく、この場合においても、目立つようなフリッカを生じさせることなく視線追従によるボケを改善するという効果が得られる。また、このデジタル画像信号ＤＡの表す画像をホールド型でない表示装置に表示させる構成としても、簡単な構成でフレーム周波数を増大させて動画質を向上させることができるという効果が得られる。
【図面の簡単な説明】
【００５３】
【図１】本発明の一実施形態に係る画像処理装置を備えたアクティブマトリクス型液晶表示装置の全体構成を示すブロック図である。
【図２】上記実施形態に係る画像処理装置の構成を示すブロック図である。
【図３】上記実施形態における倍速回路の構成を示すブロック図である。
【図４】ブロックマッチング法による動きベクトルの検出を説明するための図である。
【図５】ブロックマッチング法による動きベクトルの検出における問題点を説明するための図である。
【図６】上記実施形態における補間フレームの画像データの生成処理を説明するための図である。
【図７】上記実施形態における補間画像処理回路の一構成例を示すブロック図である。
【図８】上記実施形態における補間画像処理回路の動作を説明するためのタイミングチャートである。
【符号の説明】
【００５４】
１０，５０      …フレームメモリ
１２            …動き検出回路
１４            …倍速回路
１６            …補間画像処理回路
５２            …動きベクトルメモリ
１００          …表示制御回路
１１０          …画像処理装置
１１１，１１２  …フレームメモリ
１１４          …アドレス発生回路
１１６          …比較器
１１８，１２２  …加算器
１２０，１２４  …係数乗算器
１２６，１２８  …切換スイッチ
１５０          …タイミング発生回路
３００          …データドライバ（映像信号線駆動回路）
４００          …ゲートドライバ（走査信号線駆動回路）
６００          …液晶パネル
Ｄｖ            …（外部からの）デジタルビデオ信号
ＤＡ            …デジタル画像信号
Ｄ６０，Ｄ１２０…デジタルビデオ信号
Ｍ６０，Ｍ１２０…動きベクトル信号
Ｄｖ３          …第３デジタルビデオ信号（補間ビデオ信号）
Ｓｃ            …判定結果信号
Ｐａ，Ｐｂ      …ブロック内位置対応画素
Ｐｃ，Ｐｄ      …フレーム内位置対応画素
Ｐｅ            …補間画素
Ｖａ，Ｖｂ      …ブロック内位置対応画素の値
Ｖｃ，Ｖｄ      …フレーム内位置対応画素の値
【図１】
2005268912.tif 000003
【図２】
2005268912.tif 000004
【図３】
2005268912.tif 000005
【図４】
2005268912.tif 000006
【図５】
2005268912.tif 000007
【図６】
2005268912.tif 000008
【図７】
2005268912.tif 000009
【図８】
2005268912.tif 000010